(57)【要約】      （修正有）【課題】組み立て式遮蔽構造物を提供する。【解決手段】組み立て式遮蔽構造物は天井ユニット１０、床ユニット３０および壁面ユニットを備える。天井ユニットは底部に第一連結部材を有する。壁面ユニットは頂部に位置する第二連結部材２３および底部に位置する第三連結部材２４を有する。床ユニットは頂部に第四連結部材を有する。第一連結部材は第二連結部材に着脱可能に嵌まり込む。第三連結部材は第四連結部材に着脱可能に嵌まり込む。第一連結部材、第二連結部材、第三連結部材および第四連結部材によって遮蔽構造物１の組立作業および解体作業の便をはかることができる。【選択図】図２
0003225209.tif 000002
【実用新案登録請求の範囲】
【請求項１】
天井ユニット、床ユニットおよびそれらの間に配置される壁面ユニットを備え、少なくとも一人で使用可能な収容空間を有し、前記収容空間は前記天井ユニット、前記床ユニットおよび前記壁面ユニットから囲まれて形成される組み立て式遮蔽構造物であって、
前記天井ユニットは底部に第一連結部材を有するのに対し、前記壁面ユニットは頂部に第二連結部材を有し、前記第一連結部材は前記第二連結部材に着脱可能に嵌まり込み、
前記壁面ユニットは底部に第三連結部材を有するのに対し、前記床ユニットは頂部に第四連結部材を有し、前記第三連結部材は前記第四連結部材に着脱可能に嵌まり込むことを特徴とする組み立て式遮蔽構造物。
【請求項２】
前記天井ユニットは天井パネル、左側板および右側板を有し、前記左側板および前記右側板は前記天井パネルの左右両側に連結されて前記天井パネルと一体になり、
前記天井ユニットの前記第一連結部材は二つであり、二つの前記第一連結部材は前記左側板および前記右側板の底部に別々配置され、
前記壁面ユニットは左側パネルおよび右側パネルを有し、前記壁面ユニットの前記第二連結部材は二つであり、二つの前記第二連結部材は前記左側パネルおよび前記右側パネルの頂部に別々配置されることを特徴とする請求項１に記載の組み立て式遮蔽構造物。
【請求項３】
前記床ユニットは床パネル、左側板および右側板を有し、前記左側板および前記右側板は前記床パネルの左右両側に連結されて前記床パネルと一体になり、
前記床ユニットの前記第四連結部材は二つであり、二つの前記第四連結部材は前記左側板および前記右側板の頂部に別々配置され、
前記壁面ユニットは左側パネルおよび右側パネルを有し、前記壁面ユニットの前記第三連結部材は二つであり、二つの前記第三連結部材は前記左側パネルおよび前記右側パネルの底部に別々配置されることを特徴とする請求項１に記載の組み立て式遮蔽構造物。
【請求項４】
前記第一連結部材は凸状物体であり、前記第二連結部材は凹状溝であることを特徴とする請求項１に記載の組み立て式遮蔽構造物。
【請求項５】
前記第四連結部材は凸状物体であり、前記第三連結部材は凹状溝であることを特徴とする請求項１に記載の組み立て式遮蔽構造物。
【請求項６】
前記第一連結部材および前記第二連結部材はそれぞれねじ孔を有し、前記第一連結部材の前記ねじ孔および前記第二連結部材の前記ねじ孔は相互に対応し、
前記壁面ユニットはさらに複数の差込孔を有し、複数の前記差込孔は一つずつ複数の前記ねじ孔に隣接し、かつ前記壁面ユニットの外部および前記第二連結部材の前記ねじ孔に繋がることを特徴とする請求項１に記載の組み立て式遮蔽構造物。
【請求項７】
前記第三連結部材および前記第四連結部材はそれぞれねじ孔を有し、前記第三連結部材の前記ねじ孔および前記第四連結部材の前記ねじ孔は相互に対応し、
前記壁面ユニットはさらに複数の差込孔を有し、複数の前記差込孔は一つずつ複数の前記ねじ孔に隣接し、かつ前記壁面ユニットの外部および前記第三連結部材の前記ねじ孔に繋がることを特徴とする請求項１に記載の組み立て式遮蔽構造物。
【請求項８】
前記天井ユニットは天井パネル、左側板および右側板を有し、前記左側板は平面部と、前記左側板の前記平面部と一体になって前記左側板の前記平面部から下へ伸びて形成される直立部とを有し、前記右側板は平面部と、前記右側板の前記平面部と一体になって前記右側板の前記平面部から下へ伸びて形成される直立部とを有し、
前記天井ユニットの前記第一連結部材は二つであり、二つの前記第一連結部材は前記左側板の前記直立部および前記右側板の前記直立部の底部に配置され、
前記壁面ユニットは左側パネルおよび右側パネルを有し、前記壁面ユニットの前記第二連結部材は二つであり、二つの前記第二連結部材は前記左側パネルおよび前記右側パネルの頂部に別々配置され、
前記天井ユニットにおいて、前記左側板の前記平面部は右側に第五連結部材を有し、前記天井パネルは左側に位置する第六連結部材および右側に位置する第七連結部材を有し、前記右側板の前記平面部は左側に第八連結部材を有し、前記第五連結部材は前記第六連結部材に着脱可能に嵌まり込み、前記第七連結部材は前記第八連結部材に着脱可能に嵌まり込むことを特徴とする請求項１に記載の組み立て式遮蔽構造物。
【請求項９】
前記床ユニットは床パネル、左側板および右側板を有し、前記左側板は平面部と、前記左側板の前記平面部と一体になって前記左側板の前記平面部から上へ伸びて形成される直立部とを有し、前記右側板は平面部と、前記右側板の前記平面部と一体になって前記右側板の前記平面部から上へ伸びて形成される直立部とを有し、
前記床ユニットの前記第四連結部材は二つであり、二つの前記第四連結部材は前記左側板の前記直立部および前記右側板の前記直立部の頂部に配置され、
前記壁面ユニットは左側パネルおよび右側パネルを有し、前記壁面ユニットの前記第三連結部材は二つであり、二つの前記第三連結部材は前記左側パネルおよび前記右側パネルの底部に別々配置され、
前記床ユニットにおいて、前記左側板の前記平面部は右側に第九連結部材を有し、前記床パネルは左側に位置する第十連結部材および右側に位置する第十一連結部材を有し、前記右側板の前記平面部は左側に第十二連結部材を有し、前記第九連結部材は前記第十連結部材に着脱可能に嵌まり込み、前記第十一連結部材は前記第十二連結部材に着脱可能に嵌まり込むことを特徴とする請求項１に記載の組み立て式遮蔽構造物。
【考案の詳細な説明】
【技術分野】
【０００１】
本考案は国際特許分類の分類記号がE04H001/12の建築物に関し、詳しく言えば組立作業および解体作業が迅速に完了できる組み立て式遮蔽構造物に関するものである。
【背景技術】
【０００２】
従来の通気システムのある遮蔽構造物、例えば特許文献１により掲示された電話ボックス１００は該案の図１に示すように壁面ユニット１２０および扉ユニット１４０を有する。
【０００３】
特許文献１は従来の遮蔽構造物と同じに組立作業および解体作業に手間が掛かるため、設置場所を変えることに適していない。つまり、従来の遮蔽構造物には改善の余地がある。
【先行技術文献】
【特許文献】
【０００４】
【特許文献１】台湾特許登録証ＴＷ Ｉ６６５４１３Ｂ号
【考案の概要】
【考案が解決しようとする課題】
【０００５】
本考案は組立作業および解体作業が迅速に完了できる組み立て式遮蔽構造物を提供することを主な目的とする。
【課題を解決するための手段】
【０００６】
上述した課題を解決するため、組み立て式遮蔽構造物は天井ユニット、床ユニットおよび壁面ユニットを備え、天井ユニット、床ユニットおよび壁面ユニットによって少なくとも一人で使用可能な収容空間を構成する。天井ユニットは底部に第一連結部材を有する。壁面ユニットは天井ユニットと床ユニットとの間に装着され、頂部に位置する第二連結部材および底部に位置する第三連結部材を有する。床ユニットは頂部に第四連結部材を有する。第一連結部材は第二連結部材に着脱可能に嵌まり込む。第三連結部材は第四連結部材に着脱可能に嵌まり込む。
【０００７】
上述した構造特徴により、遮蔽構造物を組み立てて電話ボックスを設置する際、組立作業が簡単かつ迅速に完了できる。遮蔽構造物の設置場所を変える、例えば遮蔽構造物を室内から室外に搬出する際、組立作業の手順とは逆の手順ですべてのユニットを取り外せば、遮蔽構造物の解体作業が簡単かつ迅速に完了できる。
【０００８】
本考案による遮蔽構造物は電話ボックスまたは仮設ハウスとして使用されてもよい。
【０００９】
本考案による組み立て式遮蔽構造物の詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１０】
【図１】本考案の第１実施形態による遮蔽構造物を示す斜視図である。
【図２】本考案の第１実施形態による遮蔽構造物を示す分解斜視図である。
【図３】本考案の第１実施形態による遮蔽構造物の天井ユニットを示す斜視図である。
【図４】本考案の第１実施形態による遮蔽構造物の床ユニットを示す斜視図である。
【図５】本考案の第１実施形態による遮蔽構造物の壁面ユニットの一部分を示す斜視図である。
【図６】本考案の第１実施形態による遮蔽構造物を示す断面図である。
【図７】本考案の第２実施形態による遮蔽構造物を示す斜視図である。
【図８】本考案の第２実施形態による遮蔽構造物を示す分解斜視図である。
【図９】本考案の第２実施形態による遮蔽構造物を示す断面図である。
【図１０】本考案の第２実施形態による遮蔽構造物を示す別の断面図である。
【図１１】本考案の第２実施形態による遮蔽構造物の天井ユニットを示す分解斜視図である。
【図１２】本考案の第２実施形態による遮蔽構造物の床ユニットを示す分解斜視図である。
【考案を実施するための形態】
【００１１】
以下、本考案を図面に基づいて説明する。なお、明細書において、構造、使い道および応用に関わる記載および技術用語は本考案を限定できず、それに関連する領域において常識がある人ならば理解できるはずである。上下、左右、頂部、底部、内側、外側などの方向性用語は本考案を限定できず、通常使用する方向に基づいて表現される。
【００１２】
本考案の請求範囲において、説明のために挙げた部位の数は一つであるとは限らず、複数であってもよい。明細書において、効果が同等な部品の交換、記載中の特定の形状および構造特徴または技術用語は本考案を説明するための一例に過ぎず、本考案の請求範囲を限定できないことは、本考案にかかわる領域において常識がある人ならば理解できるはずである。つまり、本考案は下記の実施形態になんら限定されるものではなく、考案の趣旨を逸脱しない範囲において種々の形態で実施可能である。    
【００１３】
（第１実施形態）
図１および図２に示すように、本考案の第１実施形態による遮蔽構造物１は電話ボックスとして使用され、天井ユニット１０、壁面ユニット２０および床ユニット３０を備え、使用者を収容できる収容空間Ｓを有する。壁面ユニット２０は天井ユニット１０と床ユニット３０との間に装着される。収容空間Ｓは天井ユニット１０、床ユニット３０および壁面ユニット２０から囲まれて形成されるため、使用者は遮蔽構造物１、即ち電話ボックスの中で電話を使用できる。
【００１４】
図２および図３に示すように、天井ユニット１０は天井パネル１１、左側板１２および右側板１３を有する。天井パネル１１は遮蔽構造物１の内部および外部に繋がる通気孔１１１を有する。左側板１２および右側板１３は天井パネル１１と一体になり、天井パネル１１の左右両側から下へ伸びて形成され、それぞれ底部に間隔を置いて配置された二つの第一連結部材１４を有する。それぞれの第一連結部材１４は下に突出してねじ孔ｈ（図６参照）を有する凸状物体である。
【００１５】
壁面ユニット２０は左側パネル２１および右側パネル２２を有する。左側パネル２１および右側パネル２２は構造が同じであり、それぞれ頂部に二つの第二連結部材２３を有し、底部に二つの第三連結部材２４を有する。それぞれの第二連結部材２３はねじ孔ｈを有する凹状溝である。第一連結部材１４のねじ孔ｈは第二連結部材２３のねじ孔ｈに対応する。第一連結部材１４は第二連結部材２３に着脱可能に嵌まり込む。左側パネル２１は前後両側の上下に間隔に置いて配置された差込孔２５（図５参照）を有する。右側パネル２２は前後両側の上下に間隔に置いて配置された差込孔２５を有する。それぞれの差込孔２５は壁面ユニット２０の外部に繋がり、かつ一つずつ第二連結部材２３のねじ孔ｈまたは第三連結部材２４のねじ孔ｈに繋がる。上述した構造特徴により、ねじを差込孔２５からねじ孔ｈに差し込んで天井ユニット１０と壁面ユニット２０を締結することができる。
【００１６】
図２および図４に示すように、床ユニット３０は床パネル３１、左側板３２および右側板３３を有する。左側板３２および右側板３３は床パネル３１の左右両側に連結されて床パネル３１と一体になり、それぞれ一組の遮蔽構造物１の内部および外部に繋がる通気孔３９を有する。左側板３２および右側板３３はそれぞれ頂部に間隔を置いて配置された二つの第四連結部材３４を有する。それぞれの第四連結部材３４はねじ孔ｈを有する凸状物体である。図６に示すように、第四連結部材３４のねじ孔ｈは第三連結部材２４のねじ孔ｈに対応する。第三連結部材２４は第四連結部材３４に着脱可能に嵌まり込む。
【００１７】
遮蔽構造物１はさらに後側パネル２６および扉ユニット２７を備える。扉ユニット２７および後側パネル２６は壁面ユニット２０の前後両側に固定される。扉ユニット２７は扉受枠２７１および扉パネル２７２を有する。扉パネル２７２は扉受枠２７１に装着される。
【００１８】
図２に示すように、遮蔽構造物１を組み立てる際、床ユニット３０を設置し、壁面ユニット２０の第三連結部材２４と床ユニット３０の第四連結部材３４を嵌め合わせて壁面ユニット２０および床ユニット３０を結合させる。続いて、天井ユニット１０の第一連結部材１４と壁面ユニット２０の第二連結部材２３とを嵌め合わせて天井ユニット１０と壁面ユニット２０とを結合させる。続いて、左側パネル２１および右側パネル２２の前後両側のすべての差込孔２５にねじ（図５参照）を差し込み、図６に示すように天井ユニット１０、壁面ユニット２０および床ユニット３０を締結する。続いて、壁面ユニット２０の前後両側に扉ユニット２７および後側パネル２６を装着すると遮蔽構造物１の組立作業が完了する。つまり、上述した構造特徴により、組立作業が簡単かつ迅速に完了できる。遮蔽構造物１の設置場所を変える、例えば遮蔽構造物１を室内から室外に搬出する際、組立作業の手順とは逆の手順で扉ユニット２７、後側パネル２６、天井ユニット１０、壁面ユニット２０および床ユニット３０を取り外せば、遮蔽構造物１の解体作業が簡単かつ迅速に完了できる。
【００１９】
（第２実施形態）
図７から図１２に示すように、第２実施形態による遮蔽構造物１'は仮設ハウスとして使用され、天井ユニット１０、壁面ユニット２０および床ユニット３０を備える。第１実施形態との違いは次のとおりである。
【００２０】
図８および図１１に示すように、天井ユニット１０は天井パネル１１、左側板１２および右側板１３を有する。左側板１２は平面部１２１および直立部１２２を有する。直立部１２２は平面部１２１と一体になり、平面部１２１の左側から下へ伸びて形成され、底部に二つの第一連結部材１４（図９参照）を有する。図１０に示すように、平面部１２１は右側に二つの第五連結部材１５を有する。左側板１２の前側に近い第五連結部材１５は凹状溝である。左側板１２の後側に近い第五連結部材１５は凸状物体である。
【００２１】
図１０に示すように、天井パネル１１は左側に二つの第六連結部材１６を有し、右側に二つの第七連結部材１７を有する。天井パネル１１の前側に近い第六連結部材１６は凸状物体である。天井パネル１１の後側に近い第六連結部材１６は凹状溝である。天井パネル１１の前側に近い第七連結部材１７は凹状溝である。天井パネル１１の後側に近い第七連結部材１７は凸状物体である。左側板１２の二つの第五連結部材１５は天井パネル１１の二つの第六連結部材１６に着脱可能に嵌まり込む。
【００２２】
図１０に示すように、右側板１３は平面部１３１および直立部１３２を有する。直立部１３２は平面部１３１と一体になり、平面部１３１の右側から下へ伸びて形成され、底部に二つの第一連結部材１４を有する。平面部１３１は左側に二つの第八連結部材１８を有する。右側板１３の前側に近い第八連結部材１８は凸状物体である。右側板１３の後側に近い第八連結部材１８は凹状溝である。右側板１３の二つの第八連結部材１８は天井パネル１１の二つの第七連結部材１７に着脱可能に嵌まり込む。
【００２３】
図１２に示すように、床ユニット３０は床パネル３１、左側板３２および右側板３３を有する。左側板３２は平面部３２１および直立部３２２を有する。直立部３２２は平面部３２１と一体になり、平面部３２１の左側から上へ伸びて形成され、頂部に二つの第四連結部材３４を有する。平面部３２１は右側に二つの第九連結部材３５を有する。左側板３２の前側に近い第九連結部材３５は凸状物体である。左側板３２の後側に近い第九連結部材３５は凹状溝である。
【００２４】
床パネル３１は左側に二つの第十連結部材３６を有し、右側に二つの第十一連結部材３７を有する。床パネル３１の前側に近い第十連結部材３６は凹状溝である。床パネル３１の後側に近い第十連結部材３６は凸状物体である。床パネル３１の前側に近い第十一連結部材３７は凸状物体である。床パネル３１の後側に近い第十一連結部材３７は凹状溝である。床パネル３１の二つの第十連結部材３６は左側板３２の二つの第九連結部材３５に着脱可能に嵌まり込む。
【００２５】
右側板３３は平面部３３１および直立部３３２を有する。直立部３３２は平面部３３１と一体になり、平面部３３１の右側から上へ伸びて形成され、頂部に二つの第四連結部材３４を有する。平面部３３１は左側に二つの第十二連結部材３８を有する。右側板３３の前側に近い第十二連結部材３８は凹状溝である。右側板３３の後側に近い第十二連結部材３８は凸状物体である。右側板３３の二つの第十二連結部材３８は床パネル３１の二つの第十一連結部材３７に着脱可能に嵌まり込む。
【００２６】
上述した構造特徴により、遮蔽構造物１'の組立作業および解体作業の便をはかることができる。
【００２７】
以上、本考案は、上記実施形態になんら限定されるものではなく、考案の趣旨を逸脱しない範囲において種々の形態で実施可能である。
【符号の説明】
【００２８】
（先行技術）
１００：電話ボックス、  
１２０：壁面、  
１４０：扉
（本考案）
１、１'：遮蔽構造物、  
１０：天井ユニット、  
１１：天井パネル、  
１１１：通気孔、  
１２：左側板、  
１２１：平面部、  
１２２：直立部  
１３：左側板、  
１３１：平面部、  
１３２：直立部、  
１４：第一連結部材、  
１５：第五連結部材、  
１６：第六連結部材、  
１７：第七連結部材、  
１８：第八連結部材、  
２０：壁面ユニット、  
２１：左側パネル、  
２２：右側パネル、  
２３：第二連結部材、  
２４：第三連結部材、  
２５：差込孔、  
２６：後側パネル、  
２７：扉ユニット、  
２７１：扉受枠、  
２７２：扉パネル、  
３０：床ユニット、  
３１：床パネル、  
３２：左側板、  
３２１：平面部、  
３２２：直立部、  
３３：右側板、  
３３１：平面部、  
３３２：直立部、  
３４：第四連結部材、  
３５：第九連結部材、  
３６：第十連結部材、  
３７：第十一連結部材、  
３８：第十二連結部材、  
３９：通気孔、  
ｈ：ねじ孔
【図１】
0003225209.tif 000003
【図２】
0003225209.tif 000004
【図３】
0003225209.tif 000005
【図４】
0003225209.tif 000006
【図５】
0003225209.tif 000007
【図６】
0003225209.tif 000008
【図７】
0003225209.tif 000009
【図８】
0003225209.tif 000010
【図９】
0003225209.tif 000011
【図１０】
0003225209.tif 000012
【図１１】
0003225209.tif 000013
【図１２】
0003225209.tif 000014